(57)【要約】【課題】  相対強度雑音が小さく、生産費が低廉な多重チャンネル光源を提供する。【解決手段】本発明による多重チャンネル光源は、広い波長帯域の光を生成して第１及び第２の端部１０１，１０２を通じて出力する半導体光増幅器１００と、半導体光増幅器１００から入力された光をファブリーペローフリンジに共振させて半導体光増幅器１００へ出力するファブリーペロー共振器１３０と、を含み、半導体光増幅器１００は、ファブリーペロー共振器１３０から入力されたファブリーペローフリンジを増幅させて第１の端部１０１を通じて出力する。【選択図】  図１
2005150724.tif 000002
【特許請求の範囲】
【請求項１】
広い波長帯域の光を生成して第１及び第２の端部を通じて出力する半導体光増幅器と、
前記半導体光増幅器から入力された前記光を共振させてファブリーペローフリンジを生成し、該ファブリーペローフリンジを前記半導体光増幅器へ出力するファブリーペロー共振器と、を含み、
前記半導体光増幅器は、前記ファブリーペロー共振器から入力された前記ファブリーペローフリンジを増幅させて前記第１の端部を通じて出力すること
を特徴とする多重チャンネル光源。
【請求項２】
前記ファブリーペロー共振器は、
第１及び第２の断面を備え、前記第１の断面を通じて前記光の入力を受ける共振媒質と、
前記第２の断面にコーティングされることにより、前記第１の断面と第２の断面との間で前記光を共振させるための外部反射層と、を含むこと
を特徴とする請求項１記載の多重チャンネル光源。
【請求項３】
前記ファブリーペローフリンジを含む前記各チャンネル間の間隔は、前記共振媒質の厚さに応じて調節され、前記共振媒質は、前記光の損失なしに共振させるための物質を含むこと
を特徴とする請求項２記載の多重チャンネル光源。
【請求項４】
前記共振媒質は、ＩｎＰを含むこと
を特徴とする請求項３記載の多重チャンネル光源。
【請求項５】
前記半導体光増幅器へ入力されるファブリーペローフリンジの振幅と強さは、前記外部反射層の反射率に従って調節されること
を特徴とする請求項２記載の多重チャンネル光源。
【請求項６】
前記多重チャンネル光源は、
前記半導体光増幅器の第２の端部と前記ファブリーペロー共振器との間に位置することで、前記半導体光増幅器の第２の端部から出力された光を視準化させて前記ファブリーペロー共振器へ出力し、 前記ファブリーペロー共振器で共振された前記ファブリーペローフリンジを前記半導体光増幅器の第２の端部に収束させる第２のレンズ系をさらに含むこと
を特徴とする請求項１記載の多重チャンネル光源。
【請求項７】
前記多重チャンネル光源は、
前記半導体光増幅器の第１の端部から出力される前記ファブリーペローフリンジを前記多重チャンネル光源の外部へ出力させる光ファイバと、
前記光ファイバと前記半導体光増幅器の第１の端部との間に設けられることで、前記半導体光増幅器の第１の端部で出力される前記ファブリーペローフリンジを前記光ファイバの一端に収束させる第１のレンズ系をさらに含むこと
を特徴とする請求項１記載の多重チャンネル光源。
【請求項８】
前記第１のレンズ系は、
前記半導体光増幅器で増幅されたファブリーペローフリンジを視準化させて出力する第１レンズと、
視準化された前記ファブリーペローフリンジを前記光ファイバの一端に収束させる第２レンズと、
前記第１及び第２レンズの間に設けられることにより、前記第１レンズで出力される前記ファブリーペローフリンジを前記第２レンズに入力させ、前記第２レンズから入力される光を遮断するアイソレータと、を含むこと
を特徴とする請求項７記載の多重チャンネル光源。
【請求項９】
基板が安着された基底面と側面とを有するハウジングを含む多重チャンネル光モジュールであって、
第１及び第２の断面を備え、前記基板上に安着されることにより生成された広帯域光を前記第１及び第２の断面に出力し、前記第２の断面を通じて入力された前記ファブリーペローフリンジを増幅させて前記第１の断面に出力するための半導体光増幅器と、
前記基板上に前記第２の断面に対向するように設けられることにより、前記半導体光増幅器から入力を受ける光をファブリーペローフリンジに共振させて前記半導体光増幅器の第２の断面に出力するファブリーペロー共振器と、
前記側面に固定されることにより、前記第１の断面から出力される前記ファブリーペローフリンジを前記広帯域光モジュールの外部に出力させるための光ファイバと、
前記光ファイバと前記第１の断面との間に位置された第１のレンズ系と、
前記第２の断面と前記ファブリーペロー共振器との間に整列されることにより、前記半導体光増幅器で出力された光を視準化させて前記ファブリーペロー共振器に出力し、前記ファブリーペロー共振器から出力される前記ファブリーペローフリンジを前記半導体光増幅器に収束させるための第２のレンズ系と、を含むこと
を特徴とする多重チャンネル光モジュール。
【請求項１０】
前記第１のレンズ系は、
前記半導体光増幅器で増幅された前記ファブリーペローフリンジを前記光ファイバに収束させる第１レンズと、
前記半導体光増幅器の他端で出力される前記ファブリーペローフリンジを視準化させる第２レンズと、
前記第１レンズと第２レンズとの間に設けられ、前記第２レンズで視準化された前記ファブリーペローフリンジを前記第１レンズに通過させ、前記第１レンズから前記第２レンズに光が入力されることを防ぐアイソレータと、を含むこと
を特徴とする請求項９記載の多重チャンネル光モジュール。
【請求項１１】
前記ファブリーペロー共振器は、
前断面と後断面を備え、前記前断面を通じて前記光の入力を受ける共振媒質と、
前記後断面にコーティングされることにより、前記前断面と後断面との間で前記光をファブリーペローフリンジに共振させるための外部反射層と、を含むこと
を特徴とする請求項９記載の多重チャンネル光モジュール。
【請求項１２】
前記共振媒質は、ＩｎＰを含むこと
を特徴とする請求項１１記載の多重チャンネル光モジュール。
【請求項１３】
前記ファブリーペローフリンジを含む前記各チャンネル間の間隔は、前記共振媒質の厚さに応じて調節され、前記共振媒質は前記光の損失なしに共振させるための物質を含むこと
を特徴とする請求項１２記載の多重チャンネル光源。
【請求項１４】
前記半導体光増幅器に入力されるファブリーペローフリンジの振幅と強さは、前記外部反射層の反射率により調節されること
を特徴とする請求項１３記載の多重チャンネル光モジュール。
【請求項１５】
多重チャンネル光モジュールは、
前記半導体光増幅器の第２の端部と前記ファブリーペロー共振器との間に設けられ、前記半導体光増幅器の第２の端部から出力された光を視準化させて前記ファブリーペロー共振器に出力し、前記ファブリーペロー共振器で共振された前記ファブリーペローフリンジを前記半導体光増幅器の第２の端部に収束させる第２のレンズ系をさらに含むこと
を特徴とする請求項１４記載の多重チャンネル光モジュール。
【請求項１６】
前記半導体光増幅器の第２の端部と前記ファブリーペロー共振器との間に設けられ、前記半導体光増幅器の第２の端部から出力された光を視準化させて前記ファブリーペロー共振器に出力し、前記ファブリーペロー共振器で共振された前記ファブリーペローフリンジを前記半導体光増幅器の第２の端部に収束させる第２のレンズ系をさらに含むこと
を特徴とする請求項１２記載の多重チャンネル光モジュール。
【請求項１７】
前記半導体光増幅器に入力されるファブリーペローフリンジの振幅と強さは、前記外部反射層の反射率に応じて調節されること
を特徴とする請求項１２記載の多重チャンネル光モジュール。
【請求項１８】
前記半導体光増幅器に入力されるファブリーペローフリンジの振幅と強さは、前記外部反射層の反射率により調節されること
を特徴とする請求項１１記載の多重チャンネル光モジュール。
【請求項１９】
前記ファブリーペローフリンジを含む前記各チャンネル間の間隔は、前記共振媒質の厚さに従って調節され、前記共振媒質は、前記光の損失なしに共振させるための物質を含むこと
を特徴とする請求項１６記載の多重チャンネル光モジュール。
【請求項２０】
前記ファブリーペローフリンジを含む前記各チャンネル間の間隔は、前記共振媒質の厚さに従って調節され、前記共振媒質は、前記光の損失なしに共振させるための物質を含むこと
を特徴とする請求項１１記載の多重チャンネル光モジュール。
【発明の詳細な説明】
【技術分野】
【０００１】
本発明は、波長分割多重方式の光通信システムに適用できる光源に関し、特に、スペクトル分割及び波長のロックを誘導するための広い波長帯域の光を生成することができる光源に関するものである。
【背景技術】
【０００２】
一般に、波長分割多重方式の光通信システムは、相互に異なる波長を有する複数の光信号を送受信するための通信システムであって、それぞれの光信号を多重化または逆多重化させて複数の加入者と送受信することにより、通信容量の拡張が容易で、より高速の光通信システムが実現できるという利点がある。
【０００３】
上述した波長分割多重方式の光通信システムは、それぞれの加入者にデータを伝送するために相互に異なる波長を有する複数の下向光信号を多重化させて出力し、それぞれの加入者から受信された多重化された上向光信号を各波長に応じて逆多重化させて検出する中央基地局と、それぞれの加入者と中央基地局との間に設けられ、各加入者（装置）と中央基地局を中継するための地域基地局と、を含む。
【０００４】
上述した波長分割多重方式の光通信システムにおいて、相互に異なる波長を有する光信号を生成するための光源としては、分布帰還レーザなどの単一波長の光信号を生成することができる複数の光源や、広い波長帯域の光に含まれる相互異なる波長を有する複数のチャンネルをそれぞれの波長に応じて光信号に分割して使用するスペクトル分割光源や、外部から入力された各チャンネルにより波長ロック状態の光信号を生成する波長ロック光源、などが提案されている。
【０００５】
上述したスペクトル分割方式の光源と波長ロック光源は、相互に異なる波長を有する複数のチャンネルを含む広い波長帯域の光を生成する広帯域光源と、この光をそれぞれのチャンネルにより分割する光導波路列格子又は多重化フィルタなどの手段を必要とする。
【０００６】
一方、上述した波長ロック光源は、ファブリーペロー(Fabry-Perot)レーザに予め定められた波長のチャンネルを注入した後に、ファブリーペローレーザに注入されたチャンネルと同一の波長を有する光信号を生成する光源である。すなわち、上述した波長ロック光源は、波長ロック状態の光信号を生成するための複数のファブリーペローレーザと、これら各ファブリーペローレーザに注入する相互に異なる波長を有する複数のチャンネルを含む広帯域光を生成することができる広帯域光源と、を必要とする。
【０００７】
すなわち、スペクトル分割光源は上記広帯域光源で生成されたチャンネルを分割してそれぞれの光信号として使用し、波長ロック光源は広帯域光源で生成された各チャンネルをファブリーペローレーザの波長ロックを誘導するために使用する。
【０００８】
上述した広帯域光源は、非干渉性の広い波長帯域の光を生成することができる発光ダイオード、超発光ダイオード、半導体光増幅器、極超短(microwave)光パルスまたはエルビウム添加光ファイバなどが使用可能である。
【０００９】
しかしながら、従来の広帯域光源は、その出力が低く、ノイズなどによる攪乱がひどいという問題があった。上述した問題を解決するための手段としては、エルビウム添加光ファイバなどの増幅素子及びファブリーペローレーザなどが結合された多波長光源の構造が提案されている。
【００１０】
一方、ファブリーペローレーザとエルビウム添加光ファイバなどの増幅素子は、その集積が容易でなく、生産コストが増加するという問題があった。さらに、広い波長帯域の光は、各波長に従ってパワーの揺らぎ(Fluctuation)現象が大きく発生し、これは相対強度雑音(Relative Intensity Noise)を増加させる要因として作用する問題があった。
【発明の開示】
【発明が解決しようとする課題】
【００１１】
したがって、本発明は、上記した従来の問題点を解決するために案出したものであり、その目的は、相対強度雑音が小さく、生産コストの低減化が図られた多重チャンネル光源を提供することにある。
【課題を解決するための手段】
【００１２】
本発明の多重チャンネル光源は、広い波長帯域の光を生成して第１及び第２の端部を通じて出力する半導体光増幅器と、前記半導体光増幅器から入力された前記光を共振させてファブリーペローフリンジを生成し、該ファブリーペローフリンジを前記半導体光増幅器へ出力するファブリーペロー共振器(resonator)と、を含み、前記半導体光増幅器は、前記ファブリーペロー共振器から入力された前記ファブリーペローフリンジを増幅させて前記第１の端部を通じて出力することを特徴とする。
【００１３】
また、本発明は、基板が安着された基底面と側面とを有するハウジングを含む多重チャンネル光モジュールであって、第１及び第２の断面を備え、前記基板上に安着されることにより生成された広帯域光を前記第１及び第２の断面に出力し、前記第２の断面を通じて入力された前記ファブリーペローフリンジを増幅させて前記第１の断面に出力するための半導体光増幅器と、前記基板上に前記第２の断面に対向するように設けられることにより、前記半導体光増幅器から入力を受ける光をファブリーペローフリンジに共振させて前記半導体光増幅器の第２の断面に出力するファブリーペロー共振器と、前記側面に固定されることにより、前記第１の断面から出力される前記ファブリーペローフリンジを前記広帯域光モジュールの外部に出力させるための光ファイバと、前記光ファイバと前記第１の断面との間に位置された第１のレンズ系と、前記第２の断面と前記ファブリーペロー共振器との間に整列されることにより、前記半導体光増幅器で出力された光を視準化させて前記ファブリーペロー共振器に出力し、前記ファブリーペロー共振器から出力される前記ファブリーペローフリンジを前記半導体光増幅器に収束させるための第２のレンズ系と、を含む。
【発明の効果】
【００１４】
本発明の多重チャンネル光源又は多重チャンネル光モジュールによれば、ファブリーペロー共振器で共振されたファブリーペローフリンジを飽和領域で動作される半導体光増幅器で増幅させることにより、低い相対雑音強度を有しながら、増幅効率の高い光を生成することができる。
【００１５】
本発明による多重チャンネル光源は、半導体光増幅器で生成された広い波長帯域の光をサブマウントの一側に半導体光増幅器の一端に対向するように設けられたファブリーペロー共振器でファブリーペローフリンジに共振させ、該ファブリーペローフリンジを半導体光増幅器で増幅させることにより、一層高いパワーを有する複数のチャンネルが得られる。
【００１６】
また、ファブリーペロー共振器は、光の進行媒質との屈折率差を用いることで、電流の注入による人為的な共振を誘導する半導体レーザなどの高温の発熱現象が発生しないという利点がある。すなわち、ファブリーペロー共振器を含む本発明の多重チャンネル光源では、伝送特性が向上すると同時に、高温の発熱による光信号の波長帯域が変化する危険性はない。
【００１７】
その他、本発明によれば、半導体光増幅器とファブリーペロー共振器の集積が容易で、より小型化した製品に適用できる効果がある。
【発明を実施するための最良の形態】
【００１８】
以下、本発明の望ましい実施形態を添付の図面を参照して詳細に説明する。本発明において、関連した公知機能あるいは構成についての具体的な説明が本発明の要旨を不明にすると判断された場合、その詳しい説明を省略する。
【００１９】
図１は、本発明の第１の実施形態による多重チャンネル光源の構成を示すものである。図１に示すように、本発明の第１の実施形態による多重チャンネル光源は、広い波長帯域の光を生成するための半導体光増幅器１００と、この光をファブリーペローフリンジに共振させて、該共振された光を半導体光増幅器１００に出力するためのファブリーペロー共振器１３０と、第１のレンズ系１１０と、第２のレンズ系１２０と、光ファイバ１４０とを含む。上述したファブリーペローフリンジは、相互に異なる波長を有する複数のチャンネルで構成される。
【００２０】
半導体光増幅器１００は、広い波長帯域の光を生成して、第１の端部１０１及び第２の端部１０２のそれぞれを通じて出力する。さらに、半導体光増幅器１００は、ファブリーペロー共振器１３０から入力される上記ファブリーペローフリンジを増幅させて、第１の端部１０１に出力する。
【００２１】
図３は、図１に示した半導体光増幅器１００で生成される光のスペクトルを示すグラフである。図３に示すように、半導体光増幅器で生成された光は、波長帯域が１４４０〜１４８０nmの範囲であり、０.１nmの解像度で測定した場合に−２７〜−２９dBmのパワーを有するようになる。
【００２２】
第１のレンズ系１１０は、第１レンズ１１１と、第２レンズ１１３と、第１及び第２レンズ間に位置したアイソレータ１１２を含むことにより、半導体光増幅器１００で増幅したファブリーペローフリンジを光ファイバ１４０の一端に収束させ、光ファイバ１４０の一端に収束するファブリーペローフリンジの内の一部が反射して半導体光増幅器１００の内部に入射することを防ぐ。
【００２３】
第２レンズ１１３は、半導体光増幅器１００の第１の端部１０１で出力されるファブリーペローフリンジを視準化（collimate：平行化）させてアイソレータ１１２に出力する。そして、アイソレータ１１２は、第２レンズ１１３から入力されるファブリーペローフリンジを第１レンズ１１１に通過させ、第１レンズ１１１で反射される一部のファブリーペローフリンジ及び光が第２レンズ１１３に光が進行することを防止する。
【００２４】
また、第１レンズ１１１は、光ファイバ１４０とアイソレータ１１２との間に位置することにより、アイソレータ１１２から入力されたファブリーペローフリンジを光ファイバ１４０の一端に収束させる。
【００２５】
第２のレンズ系１２０は、半導体光増幅器１００とファブリーペロー共振器１３０との間に位置することにより、半導体光増幅器１００から出力される光を視準化（平行化）させてファブリーペロー共振器１３０に入力させ、ファブリーペロー共振器１３０から出力されるファブリーペローフリンジを半導体光増幅器１００に収束させる。
【００２６】
図２は、図１に示したファブリーペロー共振器１３０を拡大したものである。同図を参照すれば、ファブリーペロー共振器１３０は、第２のレンズ系１２０から入力された上記光をファブリーペローフリンジに共振させて、半導体光増幅器１００に出力する。このファブリーペロー共振器１３０は、共振媒質１３１と、外部反射層１３２とを含む。
【００２７】
ここで、共振媒質１３１は、大気(air)との屈折率の差により、その内部に入力された光をその両方の断面(end surface)で共振させる一種のファブリーペロー共振器の役割を担う。共振媒質１３１は、光に対して非吸収性の特性を有する物質、例えばＩｎＰ(Indium Phosphide)などが使用できる。共振媒質１３１の第１の断面（一断面）１３１ａの反射率は、半導体光増幅器１００で出力される光の波長と、第２のレンズ系１２０との間で光が進行される空間の媒質の屈折率に基づくフレネル反射率(Fresnel reflection)と、により決定される。また、共振媒質１３１の厚さは、生成しようとする広い波長帯域の光に含まれた各チャンネル間の間隔により定められる。
【００２８】
共振媒質１３１の一例としては、半導体光増幅器１００から出力される光の波長が１５５０nmで、第２のレンズ系１２０との間の媒質が屈折率１の大気である場合には、２７％の反射率を有するＩｎＰなどの物質が使用可能である。
【００２９】
図４は、図１に示したファブリーペロー共振器１３０が外部反射層（１３２）を有しない場合に、半導体光増幅器で増幅したファブリーペローフリンジのスペクトルを示すグラフである。同図を参照すると、ファブリーペロー共振器１３０の共振媒質１３１のみによって共振されたファブリーペローフリンジを半導体光増幅器１００で増幅させる場合には、−２９〜−２３dBmのパワー(図４は０.１nmの解像度で測定した場合を示している。)を持つようになり、そのときのファブリーペローフリンジの振幅は約３〜４dB程度であることがわかる。
【００３０】
外部反射層１３２は、共振媒質１３１の第２の断面（他断面）１３１ｂにコーティングされることにより、この他断面１３１ｂの反射率を調節することができる。すなわち、外部反射層１３２は、共振媒質１３１の両断面１３１ａ，１３１ｂ間で光をファブリーペローフリンジに共振させ、ファブリーペローフリンジを共振媒質１３１に反射させる。また、図５は、図１に示したファブリーペロー共振器１３１の他断面１３１ｂの反射率を２７％から５０％に増加させた場合に、ファブリーペロー共振器１３１で生成されたファブリーペローフリンジを半導体光増幅器１００で増幅させたときのスペクトルを示すグラフである。図５を参照すると、外部反射層１３２で反射されたファブリーペローフリンジを半導体光増幅器１００で増幅させた場合には、ファブリーペローフリンジは、−２６〜−２０dBmのパワー(上記と同様に０.１nmの解像度で測定した。)を持つようになることがわかる。
【００３１】
結果的に、ファブリーペロー共振器１３０において、外部反射層１３２の反射率が一般大気と共振器との間の反射率(ＩｎＰの場合２７％)よりも高い場合には、半導体光増幅器１００の第２の端部１０２に入力されるファブリーペローフリンジの強さを増加させるようになる。これにより、半導体光増幅器１００で増幅するファブリーペローフリンジのパワーは増加するようになる。しかしながら、同時に外部反射層１３２の反射率の増加はファブリーペローフリンジの振幅の減少を引き起こすので、半導体光増幅器１００で増幅したファブリーペローフリンジに含まれる各チャンネルの増幅効率を極大化させるためには、外部反射層１３２の反射率を過度に増加させてはならない。
【００３２】
例えば、外部反射層１３２の反射率が１００％に近づくほどに多重チャンネル光源で出力されるファブリーペローフリンジの出力パワーは増加する。しかしながら、外部反射層１３２の反射率が１００％になる場合には、ファブリーペロー共振器１３０の共振特性が現れない。
【００３３】
図６は、本発明の第２の実施形態による多重チャンネル光モジュールの構成を示すものである。図６に示すように、本発明の第２の実施形態による多重チャンネル光モジュールは、蝶構造（butterfly shape）のハウジング２５０と、このハウジング２５０の基底面上に配置された基板２７０と、広い波長帯域の光を生成し、その内部に入力されたファブリーペローフリンジを増幅させて出力する半導体光増幅器２００と、ファブリーペローフリンジを生成して半導体光増幅器２００に入力させるファブリーペロー共振器２３０と、光ファイバ２４０と、第１及び第２のレンズ系２１０，２２０と、を含む。
【００３４】
ハウジング２５０は、蝶状であって、その内部の基底面上に基板２７０が安着され、その一側には光ファイバ２４０が半導体光増幅器２００で増幅されたファブリーペローフリンジの入力を受けるようにレンズホルダー２６０によって支持される。基板２７０は、半導体光増幅器２００、ファブリーペロー共振器２３０、第１及び第２のレンズ系２１０，２２０、などを支持する。
【００３５】
光ファイバ２４０は、ハウジング２５０の一側にレンズホルダー２６０によって固定され、半導体光増幅器２００で増幅したファブリーペローフリンジを、多重チャンネル光モジュールの外部に出力させる。
【００３６】
第１のレンズ系２１０は、第１レンズ２１１と、アイソレータ２１２と、第２レンズ２１３とを含み、光ファイバ２４０と半導体光増幅器２００との間に位置されることにより、半導体光増幅器２００で増幅されたファブリーペローフリンジを光ファイバ２４０に収束させ、外部から半導体光増幅器２００に光が流入されることを防ぐ。
【００３７】
第１レンズ２１１は、光ファイバ２４０とアイソレータ２１２との間に位置され、レンズホルダー２６０によって固定されることにより、アイソレータ２１２から入力されるファブリーペローフリンジを光ファイバ２４０の一端に収束させる。
【００３８】
第２レンズ２１３は、基板２７０上にアイソレータ２１２と半導体光増幅器２００との間に位置されることにより、半導体光増幅器２００で増幅されたファブリーペローフリンジを視準化させて、アイソレータ２１２に出力する。
【００３９】
アイソレータ２１２は、第２レンズ２１３で視準化されたファブリーペローフリンジを第１レンズ２１１に通過させ、第１レンズ２１１から第２レンズ２１３に光が流入されるのを防止する。
【００４０】
半導体光増幅器２００は、その内部に広い波長帯域の光を生成して両端に出力し、ファブリーペロー共振器２３０で共振されたファブリーペローフリンジを増幅させてその一端に出力する。
【００４１】
ファブリーペロー共振器２３０は、基板２７０上に半導体光増幅器２００の一端に対向するように位置されることにより、半導体光増幅器２００から一端（前断面）を通じて入力される光をファブリーペローフリンジに共振させて半導体光増幅器２００に出力する。ファブリーペロー共振器２３０は、第２のレンズ系２２０から入力される光が進行する媒質より高い屈折率と、予め決定された厚さとを有する非吸収性媒質を、共振媒質２３１として備えており、これにより、その内部に入力された光を共振させる共振器としての役割を担う。また、ファブリーペロー共振器２３０は、共振媒質２３１の他端（後断面）に、予め定められた反射率を持つ外部反射層２３２が形成された構成とすることにより、ファブリーペローフリンジの振幅と出力パワーを調節することができる。
【００４２】
第２のレンズ系２２０は、半導体光増幅器２００の他端とファブリーペロー共振器２３０との間に位置されることにより、半導体光増幅器２００から出力される光を視準化させてファブリーペロー共振器２３０に入力させ、ファブリーペロー共振器２３０から入力されるファブリーペローフリンジを半導体光増幅器２００の他端に収束させる。
【図面の簡単な説明】
【００４３】
【図１】本発明の第１の実施形態による多重チャンネル光源の構成を示す図である。
【図２】図１に示したファブリーペロー共振器を示す図である。
【図３】図１に示した半導体光増幅器で生成される広い波長帯域を有する光のスペクトルを示すグラフである。
【図４】図１に示した半導体光増幅器が、反射層を有しないファブリーペロー共振器によって共振された光を増幅させるときのスペクトルを示すグラフである。
【図５】図１に示した半導体光増幅器が外部反射層を含むファブリーペロー共振器から入力された光を増幅させたときのスペクトルを示すグラフである。
【図６】本発明の第２の実施形態による多重チャンネル光モジュールの構成を示す図である。
【符号の説明】
【００４４】
１００  半導体光増幅器
１０１  第１の端部
１０２  第２の端部
１１０  第１のレンズ系
１１１  第１レンズ
１１２  アイソレータ
１１３  第２レンズ
１２０  第２のレンズ系
１３０  ファブリーペロー共振器
１３１  共振媒質
１３１ａ，１３１ｂ  断面
１３２  外部反射層
１４０  光ファイバ
２００  半導体光増幅器
２３０  ファブリーペロー共振器
２５０  ハウジング
２７０  基板
２１０  第１のレンズ系
２１１  第１レンズ
２１２  アイソレータ
２１３  第２レンズ
２２０  第２のレンズ系
２４０  光ファイバ
【図１】
2005150724.tif 000003
【図２】
2005150724.tif 000004
【図３】
2005150724.tif 000005
【図４】
2005150724.tif 000006
【図５】
2005150724.tif 000007
【図６】
2005150724.tif 000008